(57)【要約】      （修正有）【課題】圧縮室で発生する騒音が外部に漏出することを防止するスクロール圧縮機を提供する。【解決手段】センターハウジング１１０と、センターハウジングに締結され吸入室Ｓ１を形成するフロントハウジング１２０と圧縮機構収容空間を形成するリヤハウジング１３０と、圧縮機構収容空間に備えられる固定スクロール５００と、センターハウジングと固定スクロールとの間に介在する旋回スクロール４００とを含み、固定スクロールは、固定スクロール鏡板と旋回スクロールの旋回空間を形成する固定スクロール側板５３０とを含み、センターハウジングの外周部には、吸入室と連通する流入孔１１２ｃが形成され、固定スクロール側板の先端面には、流入孔の冷媒を圧縮室に案内する吸入口５３２が形成され固定スクロール側板の先端面から掘り込んで形成される第１吸入口５３２ａを含み、第１吸入口の円周方向の長さは、流入孔の円周方向の長さより長く形成される。【選択図】図２
2020118161.tif 000002
【特許請求の範囲】
【請求項１】
センターハウジング（１１０）と、
前記センターハウジング（１１０）に締結され、吸入室（Ｓ１）を形成するフロントハウジング（１２０）と、
前記センターハウジング（１１０）に締結され、圧縮機構収容空間（Ｓ２）を形成するリヤハウジング（１３０）と、
前記圧縮機構収容空間（Ｓ２）に備えられる固定スクロール（５００）と、
前記センターハウジング（１１０）と前記固定スクロール（５００）との間に介在し、前記固定スクロール（５００）と共に圧縮室（Ｓ４）を形成する旋回スクロール（４００）とを含み、
前記固定スクロール（５００）は、固定スクロール鏡板（５１０）と、前記固定スクロール鏡板（５１０）の外周部から突出し、前記センターハウジング（１１０）に締結され、前記旋回スクロール（４００）の旋回空間（Ｓ３）を形成する固定スクロール側板（５３０）とを含み、
前記センターハウジング（１１０）の外周部には、前記吸入室（Ｓ１）と連通する流入孔（１１２ｃ）が形成され、
前記固定スクロール側板（５３０）の先端面には、前記流入孔（１１２ｃ）の冷媒を前記圧縮室（Ｓ４）に案内する吸入口（５３２）が形成され、
前記吸入口（５３２）は、前記固定スクロール側板（５３０）の先端面から掘り込んで形成される第１吸入口（５３２ａ）を含み、
前記第１吸入口（５３２ａ）の円周方向の長さ（Ｌ２）は、前記流入孔（１１２ｃ）の円周方向の長さ（Ｌ１）より長く形成されるスクロール圧縮機。
【請求項２】
前記固定スクロール側板（５３０）は、前記流入孔（１１２ｃ）と軸方向に重なって形成される、請求項１に記載のスクロール圧縮機。
【請求項３】
前記吸入口（５３２）は、前記第１吸入口（５３２ａ）から掘り込んで形成される第２吸入口（５３２ｂ）をさらに含む、請求項１に記載のスクロール圧縮機。
【請求項４】
前記第２吸入口（５３２ｂ）の円周方向の長さ（Ｌ３）は、前記第１吸入口（５３２ａ）の円周方向の長さ（Ｌ２）より短く形成される、請求項３に記載のスクロール圧縮機。
【請求項５】
前記旋回スクロール（４００）は、旋回スクロール鏡板（４１０）と、前記旋回スクロール鏡板（４１０）から突出し、前記固定スクロール（５００）と噛み合う旋回スクロールラップ（４２０）とを含み、
前記第２吸入口（５３２ｂ）の軸方向の高さ（Ｈ３）は、前記旋回スクロール鏡板（４１０）の軸方向の高さ（Ｈ１）より高く形成される、請求項４に記載のスクロール圧縮機。
【請求項６】
前記第２吸入口（５３２ｂ）は、前記旋回スクロールラップ（４２０）と半径方向に重なって形成される、請求項５に記載のスクロール圧縮機。
【請求項７】
前記第１吸入口（５３２ａ）の軸方向の高さ（Ｈ２）は、前記旋回スクロール鏡板（４１０）の軸方向の高さ（Ｈ１）と等しいか、または低く形成される、請求項５に記載のスクロール圧縮機。
【請求項８】
前記第１吸入口（５３２ａ）は、前記旋回スクロール鏡板（４１０）と半径方向に重なって形成される、請求項７に記載のスクロール圧縮機。
【請求項９】
前記流入孔（１１２ｃ）、前記第１吸入口（５３２ａ）および前記第２吸入口（５３２ｂ）は、それぞれ複数形成され、
前記複数の第１吸入口（５３２ａ）は、前記複数の流入孔（１１２ｃ）と軸方向に重なり、
前記固定スクロール側板（５３０）は、前記複数の第１吸入口（５３２ａ）の間で前記センターハウジング（１１０）と接触する接触部（５３４）を含む、請求項３に記載のスクロール圧縮機。
【請求項１０】
前記複数の第２吸入口（５３２ｂ）の流動断面積の合計は、前記複数の流入孔（１１２ｃ）の流動断面積の合計より大きいか、または等しく形成される、請求項９に記載のスクロール圧縮機。
【請求項１１】
前記センターハウジング（１１０）は、
前記固定スクロール（５００）と前記旋回スクロール（４００）とを支持するメインフレーム（１１２）と、
前記メインフレーム（１１２）の剛性を補強するように前記吸入室（Ｓ１）側で放射状に形成される複数のリブ（Ｒ）とを含み、
前記複数のリブ（Ｒ）は、前記流入孔（１１２ｃ）の流動断面積を減少させないように形成される、請求項１に記載のスクロール圧縮機。
【請求項１２】
前記複数のリブ（Ｒ）は、
前記流入孔（１１２ｃ）と軸方向に重ならない非重畳リブ（Ｒ１）と、
前記流入孔（１１２ｃ）と軸方向に重なる重畳リブ（Ｒ２）とを含み、
前記重畳リブ（Ｒ２）は、前記圧縮機構収容空間（Ｓ２）側から掘り込んで形成され、前記流入孔（１１２ｃ）と連通する切開部（Ｃ）を含む、請求項１１に記載のスクロール圧縮機。
【請求項１３】
前記切開部（Ｃ）は、前記流入孔（１１２ｃ）より前記吸入室（Ｓ１）側にさらに掘り込んで形成される、請求項１２に記載のスクロール圧縮機。
【請求項１４】
前記複数のリブ（Ｒ）の間にはグルーブ（Ｇ）が形成され、
前記切開部（Ｃ）は、前記グルーブ（Ｇ）と連通して形成される、請求項１３に記載のスクロール圧縮機。
【請求項１５】
前記センターハウジング（１１０）は、前記センターハウジング（１１０）の外周面から半径方向に突出した突出部（１１６）を含み、
前記突出部（１１６）には、前記センターハウジング（１１０）と前記リヤハウジング（１３０）とを締結させる締結ボルトが挿入される締結ホール（１１６ａ）が形成される、請求項１に記載のスクロール圧縮機。
【請求項１６】
前記固定スクロール側板（５３０）は、前記締結ボルトと干渉しないように前記固定スクロール側板（５３０）の外周面から掘り込んで形成された凹部（５３６）を含む、請求項１５に記載のスクロール圧縮機。
【請求項１７】
前記突出部（１１６）、前記締結ホール（１１６ａ）および前記凹部（５３６）は、それぞれ複数形成され、
前記固定スクロール側板（５３０）は、前記複数の凹部（５３６）の間で前記センターハウジング（１１０）と接触する接触部（５３４）を含む、請求項１６に記載のスクロール圧縮機。
【発明の詳細な説明】
【技術分野】
【０００１】
本発明は、スクロール圧縮機に関し、より詳細には、固定スクロールと旋回スクロールで冷媒を圧縮できるようにしたスクロール圧縮機に関する。
【背景技術】
【０００２】
一般的に、自動車には室内の冷暖房のための空調装置（Ａｉｒ  Ｃｏｎｄｉｔｉｏｎｉｎｇ；Ａ／Ｃ）が設けられる。このような空調装置は、冷房システムの構成として、蒸発器から引込まれた低温低圧の気相冷媒を高温高圧の気相冷媒に圧縮させて凝縮器に送る圧縮機を備えている。
【０００３】
圧縮機には、ピストンの往復運動によって冷媒を圧縮する往復式と、回転運動をしながら圧縮を行う回転式とがある。往復式には、駆動源の伝達方式によって、クランクを用いて複数のピストンに伝達するクランク式、斜板が設けられた回転軸に伝達する斜板式などがあり、回転式には、回転するロータリ軸とベーンとを用いるベーンロータリ式、旋回スクロールと固定スクロールとを用いるスクロール式がある。
【０００４】
スクロール圧縮機は、他の種類の圧縮機に比べて相対的に高い圧縮比が得られ、かつ、冷媒の吸入、圧縮、吐出行程がスムーズにつながり、安定したトルクが得られるという利点のため、空調装置などで冷媒圧縮用に広く用いられている。
【０００５】
図１は、従来のスクロール圧縮機を示す断面図である。
【０００６】
添付した図１を参照すれば、従来のスクロール圧縮機は、センターハウジング１１０と、前記センターハウジング１１０に締結され、吸入室Ｓ１を形成するフロントハウジング１２０と、前記吸入室Ｓ１に備えられるモータ２００と、前記センターハウジング１１０を基準として前記フロントハウジング１２０の反対側で前記センターハウジング１１０に締結され、後述する旋回スクロール４００の旋回空間Ｓ３を形成する固定スクロール５００と、前記センターハウジング１１０と前記固定スクロール５００との間に介在し、前記固定スクロール５００と共に圧縮室Ｓ４を形成する旋回スクロール４００と、前記センターハウジング１１０を貫通して前記モータ２００と前記旋回スクロール４００とを連結する回転軸３００と、前記固定スクロール５００を基準として前記センターハウジング１１０の反対側で前記固定スクロール５００に締結され、吐出室Ｓ５を形成するリヤハウジング１３０とを含む。
【０００７】
ここで、前記センターハウジング１１０は、前記吸入室Ｓ１の冷媒を前記旋回空間Ｓ３に案内する流入孔１１２ｃを含む。
【０００８】
このような構成による従来のスクロール圧縮機は、前記モータ２００に電源が印加されると、前記回転軸３００が前記モータ２００によって回転し、前記旋回スクロール４００が前記回転軸３００から回転力を受けて旋回運動し、前記圧縮室Ｓ４は、中心側に向かって持続的に移動しながら体積が減少する。そして、冷媒は、前記吸入室Ｓ１から前記流入孔１１２ｃを通して前記旋回空間Ｓ３に流入し、前記旋回空間Ｓ３の冷媒は、前記圧縮室Ｓ４に流入し、前記圧縮室Ｓ４に流入した冷媒は、前記圧縮室Ｓ４の移動経路に沿って中心側に移動しながら圧縮されて、前記吐出室Ｓ５に吐出される。
【０００９】
しかし、このような従来のスクロール圧縮機は、前記固定スクロール５００が外部に露出することにより、前記圧縮室Ｓ４で発生する騒音が前記固定スクロール５００を介して外部に放射される問題点があった。
【００１０】
一方、圧縮室Ｓ４で発生する騒音が外部に漏出することを減少できるように固定スクロール５００をハウジング１００の内部に備える方策が考えられるが、この場合、旋回スクロール４００の旋回半径が減少して冷媒吐出量が減少する問題点があった。また、この場合、固定スクロール５００が流入孔１１２ｃを塞いで冷媒が圧縮室Ｓ４に円滑に供給できない問題点があった。
【先行技術文献】
【特許文献】
【００１１】
【特許文献１】韓国特許公開第１０−２０１８−００９４４８３号公報
【発明の概要】
【発明が解決しようとする課題】
【００１２】
そこで、本発明は、圧縮室で発生する騒音が外部に漏出することを防止するスクロール圧縮機を提供することを目的とする。
【００１３】
また、本発明は、冷媒吐出量を増加させることができ、冷媒を圧縮室に円滑に供給できるスクロール圧縮機を提供することを他の目的とする。
【課題を解決するための手段】
【００１４】
本発明は、上記の目的を達成するためになされたものであって、センターハウジングと、前記センターハウジングに締結され、吸入室を形成するフロントハウジングと、前記センターハウジングに締結され、圧縮機構収容空間を形成するリヤハウジングと、前記圧縮機構収容空間に備えられる固定スクロールと、前記センターハウジングと前記固定スクロールとの間に介在し、前記固定スクロールと共に圧縮室を形成する旋回スクロールとを含み、前記固定スクロールは、固定スクロール鏡板と、前記固定スクロール鏡板の外周部から突出し、前記センターハウジングに締結され、前記旋回スクロールの旋回空間を形成する固定スクロール側板とを含み、前記センターハウジングの外周部には、前記吸入室と連通する流入孔が形成され、前記固定スクロール側板の先端面には、前記流入孔の冷媒を前記圧縮室に案内する吸入口が形成され、前記吸入口は、前記固定スクロール側板の先端面から掘り込んで形成される第１吸入口を含み、前記第１吸入口の円周方向の長さは、前記流入孔の円周方向の長さより長く形成されるスクロール圧縮機を提供する。
【００１５】
前記固定スクロール側板は、前記流入孔と軸方向に重なって形成される。
【００１６】
前記吸入口は、前記第１吸入口から掘り込んで形成される第２吸入口をさらに含む。
【００１７】
前記第２吸入口の円周方向の長さは、前記第１吸入口の円周方向の長さより短く形成される。
【００１８】
前記旋回スクロールは、旋回スクロール鏡板と、前記旋回スクロール鏡板から突出し、前記固定スクロールと噛み合う旋回スクロールラップとを含み、前記第２吸入口の軸方向の高さは、前記旋回スクロール鏡板の軸方向の高さより高く形成される。
【００１９】
前記第２吸入口は、前記旋回スクロールラップと半径方向に重なって形成される。
【００２０】
前記第１吸入口の軸方向の高さは、前記旋回スクロール鏡板の軸方向の高さと等しいか、または低く形成される。
【００２１】
前記第１吸入口は、前記旋回スクロール鏡板と半径方向に重なって形成される。
【００２２】
前記流入孔、前記第１吸入口および前記第２吸入口は、それぞれ複数形成され、前記複数の第１吸入口は、前記複数の流入孔と軸方向に重なり、前記固定スクロール側板は、前記複数の第１吸入口の間で前記センターハウジングと接触する接触部を含む。
【００２３】
前記複数の第２吸入口の流動断面積の合計は、前記複数の流入孔の流動断面積の合計より大きいか、または等しく形成される。
【００２４】
前記センターハウジングは、前記固定スクロールと前記旋回スクロールとを支持するメインフレームと、前記メインフレームの剛性を補強するように前記吸入室側で放射状に形成される複数のリブとを含み、前記複数のリブは、前記流入孔の流動断面積を減少させないように形成される。
【００２５】
前記複数のリブは、前記流入孔と軸方向に重ならない非重畳リブと、前記流入孔と軸方向に重なる重畳リブとを含み、前記重畳リブは、前記圧縮機構収容空間側から掘り込んで形成され、前記流入孔と連通する切開部を含む。
【００２６】
前記切開部は、前記流入孔より前記吸入室側にさらに掘り込んで形成される。
【００２７】
前記複数のリブの間にはグルーブが形成され、前記切開部は、前記グルーブと連通して形成される。
【００２８】
前記センターハウジングは、前記センターハウジングの外周面から半径方向に突出した突出部を含み、前記突出部には、前記センターハウジングと前記リヤハウジングとを締結する締結ボルトが挿入される締結ホールが形成される。
【００２９】
前記固定スクロール側板は、前記締結ボルトと干渉しないように前記固定スクロール側板の外周面から掘り込んで形成された凹部を含む。
【００３０】
前記突出部、前記締結ホールおよび前記凹部は、それぞれ複数形成され、前記固定スクロール側板は、前記複数のグルーブの間で前記センターハウジングと接触する接触部を含む。
【発明の効果】
【００３１】
本発明に係るスクロール圧縮機は、センターハウジングと、前記センターハウジングに締結され、吸入室を形成するフロントハウジングと、前記センターハウジングに締結され、圧縮機構収容空間を形成するリヤハウジングと、前記圧縮機構収容空間に備えられる固定スクロールと、前記センターハウジングと前記固定スクロールとの間に介在し、前記固定スクロールと共に圧縮室を形成する旋回スクロールとを含み、前記固定スクロールは、固定スクロール鏡板と、前記固定スクロール鏡板の外周部から突出し、前記センターハウジングに締結され、前記旋回スクロールの旋回空間を形成する固定スクロール側板とを含み、前記センターハウジングの外周部には、前記吸入室と連通する流入孔が形成され、前記固定スクロール側板の先端面には、前記流入孔の冷媒を前記圧縮室に案内する吸入口が形成され、前記吸入口は、前記固定スクロール側板の先端面から掘り込んで形成される第１吸入口を含み、前記第１吸入口の円周方向の長さは、前記流入孔の円周方向の長さより長く形成されることにより、圧縮室で発生する騒音が外部に放射されることを防止することができる。
【００３２】
また、旋回スクロールの旋回半径を増加させて冷媒吐出量を増加させることができ、固定スクロールが流入孔を塞がずに冷媒を圧縮室に円滑に供給することができる。
【図面の簡単な説明】
【００３３】
【図１】従来のスクロール圧縮機を示す断面図、
【図２】本発明の一実施形態に係るスクロール圧縮機を示す断面図、
【図３】図２のスクロール圧縮機におけるセンターハウジングおよび圧縮機構を示す斜視図、
【図４】図３のＩ−Ｉ断面図、
【図５】図３のＩＩ−ＩＩ断面図、
【図６】図３の平面図、
【図７】図３のセンターハウジングを示す平面図、
【図８】図３のセンターハウジングを示す下面図、
【図９】図７および図８のＩＩＩ−ＩＩＩ断面図、  である。
【発明を実施するための形態】
【００３４】
以下、本発明に係るスクロール圧縮機を、添付した図面を参照して詳細に説明する。
【００３５】
図２は、本発明の一実施形態に係るスクロール圧縮機を示す断面図であり、図３は、図２のスクロール圧縮機におけるセンターハウジングおよび圧縮機構を示す斜視図であり、図４は、図３のＩ−Ｉ断面図であり、図５は、図３のＩＩ−ＩＩ断面図であり、図６は、図３の平面図であり、図７は、図３のセンターハウジングを示す平面図であり、図８は、図３のセンターハウジングを示す下面図であり、図９は、図７および図８のＩＩＩ−ＩＩＩ断面図である。
【００３６】
添付した図２〜図９を参照すれば、本発明の一実施形態に係るスクロール圧縮機は、ハウジング１００と、前記ハウジング１００の内部で回転力を発生させるモータ２００と、前記モータ２００によって回転する回転軸３００と、前記回転軸３００によって旋回運動する旋回スクロール４００と、前記旋回スクロール４００に噛み合って２つの一対の圧縮室Ｓ４を形成する固定スクロール５００とを含む。
【００３７】
前記ハウジング１００は、センターハウジング１１０と、前記センターハウジング１１０に締結され、吸入室Ｓ１を形成するフロントハウジング１２０と、前記センターハウジング１１０を基準として前記フロントハウジング１２０の反対側で前記センターハウジング１１０に締結され、前記旋回スクロール４００および前記固定スクロール５００を収容する空間（以下、圧縮機構収容空間）Ｓ２を形成するリヤハウジング１３０とを含む。
【００３８】
ここで、前記センターハウジング１１０を基準として前記フロントハウジング１２０側方向（図２中の左側方向）を前方とし、前記センターハウジング１１０を基準として前記リヤハウジング１３０側方向（図２中の右側方向）を後方とする。
【００３９】
前記センターハウジング１１０は、前記吸入室Ｓ１と前記圧縮機構収容空間Ｓ２とを区画し、前記旋回スクロール４００および前記固定スクロール５００を支持するメインフレーム１１２と、前記メインフレーム１１２の外周部から前記フロントハウジング１２０側に突出するセンターハウジング側板１１４とを含む。
【００４０】
前記メインフレーム１１２は、略円板状に形成され、前記メインフレーム１１２の中心部には、前記回転軸３００の一端部が貫通する軸受孔１１２ａと、前記旋回スクロール４００を前記固定スクロール５００側に加圧する背圧室１１２ｂとが形成される。ここで、前記回転軸３００の一端部には、前記回転軸３００の回転運動を前記旋回スクロール４００の旋回運動に転換させる偏心ブッシュ３１０が形成され、前記背圧室１１２ｂは、前記偏心ブッシュ３１０が回転できる空間を提供する。
【００４１】
そして、前記メインフレーム１１２の外周部には、前記吸入室Ｓ１と連通する流入孔１１２ｃが形成される。
【００４２】
前記流入孔１１２ｃは、前記メインフレーム１１２を前記回転軸３００の軸方向（以下、軸方向）に貫通して形成される。すなわち、前記メインフレーム１１２において前記吸入室Ｓ１に対向する面をメインフレーム前方面１１２ｄとし、前記メインフレーム１１２において前記圧縮機構収容空間Ｓ２に対向する面をメインフレーム後方面１１２ｅとすれば、前記流入孔１１２ｃは、前記メインフレーム前方面１１２ｄから前記メインフレーム後方面１１２ｅまで前記メインフレーム１１２を貫通して形成される。
【００４３】
そして、前記流入孔１１２ｃは、前記回転軸３００の円周方向（以下、円周方向）に沿って延長形成される。
【００４４】
そして、前記流入孔１１２ｃは、複数形成され、前記複数の流入孔１１２ｃは、円周方向に沿って配列される。
【００４５】
一方、前記センターハウジング１１０は、前記メインフレーム１１２の剛性を補強するためのリブＲをさらに含む。
【００４６】
前記リブＲは、前記旋回スクロール４００および前記固定スクロール５００と干渉しないように前記吸入室Ｓ１側に形成される。すなわち、前記リブＲは、前記メインフレーム前方面１１２ｄから前記吸入室Ｓ１側に突出して形成される。
【００４７】
そして、前記リブＲは、前記メインフレーム１１２の剛性をさらに向上させるために複数形成され、前記複数のリブＲは、前記メインフレーム１１２の中心部を基準として放射状に形成され、前記複数のリブＲの間にはグルーブＧが形成される。
【００４８】
ここで、前記複数のリブＲは、放射状に形成されることにより、前記複数の流入孔１１２ｃの間に配置される非重畳リブＲ１と、前記流入孔１１２ｃの範囲内に配置される重畳リブＲ２とを含む。
【００４９】
前記非重畳リブＲ１は、前記流入孔１１２ｃと軸方向に重ならないため、前記流入孔１１２ｃの流動断面積（軸方向に垂直な断面上の流入孔１１２ｃの面積）を減少させない。
【００５０】
これに対し、前記重畳リブＲ２は、前記流入孔１１２ｃと軸方向に重なるため、前記流入孔１１２ｃの流動断面積を減少させることがある。すなわち、前記重畳リブＲ２が前記メインフレーム後方面１１２ｅまで延長形成される場合には、前記流入孔１１２ｃの一部が前記重畳リブＲ２によって埋め込まれる。
【００５１】
これを考慮して、本実施形態の場合、前記流入孔１１２ｃの流動断面積が減少しないように、すなわち、前記流入孔１１２ｃが前記重畳リブＲ２によって埋め込まれないように、前記重畳リブＲ２は、前記流入孔１１２ｃと軸方向に重なる位置において前記圧縮機構収容空間Ｓ２側から前記吸入室Ｓ１側に掘り込んで形成され、前記流入孔１１２ｃと連通する切開部Ｃを含む。
【００５２】
そして、前記切開部Ｃは、前記吸入室Ｓ１の冷媒が前記流入孔にさらに円滑に流入するように、前記グルーブＧとも連通して形成される。すなわち、前記切開部Ｃは、前記流入孔１１２ｃより前記吸入室Ｓ１側にさらに掘り込んで形成される。
【００５３】
また、前記センターハウジング１１０は、前記センターハウジング１１０の外径を最小化しながら内側空間を最大限に確保するために、前記センターハウジング１１０の外周面から半径方向に突出した突出部１１６を含み、前記センターハウジング１１０と前記リヤハウジング１３０とを締結させる締結ボルト（図示せず）が挿入される締結ホール１１６ａが前記突出部１１６に形成される。
【００５４】
ここで、前記締結ボルト（図示せず）は、複数具備され、前記締結ホール１１６ａは、前記複数の締結ボルト（図示せず）に対応するように前記複数の締結ボルト（図示せず）の個数と同一個数形成され、前記突出部１１６は、前記複数の締結ホール１１６ａに対応するように前記複数の締結ホール１１６ａの個数と同一個数形成される。
【００５５】
前記フロントハウジング１２０は、前記メインフレーム１１２に対向し、前記回転軸３００の他端部を支持するフロントハウジング鏡板１２２と、前記フロントハウジング鏡板１２２の外周部から突出し、前記センターハウジング側板１１４と締結され、前記モータ２００を支持するフロントハウジング側板１２４とを含む。
【００５６】
ここで、前記メインフレーム１１２、前記センターハウジング側板１１４、前記フロントハウジング鏡板１２２および前記フロントハウジング側板１２４が前記吸入室Ｓ１を形成する。
【００５７】
そして、前記フロントハウジング側板１２４には、外部から前記吸入室Ｓ１に冷媒を案内する冷媒吸入管（図示せず）と連通する吸入ポート（図示せず）が形成される。
【００５８】
前記リヤハウジング１３０は、前記メインフレーム１１２に対向するリヤハウジング鏡板１３２と、前記リヤハウジング鏡板１３２の外周部から突出し、前記メインフレーム１１２の外周部に締結されるリヤハウジング側板１３４とを含む。
【００５９】
ここで、前記メインフレーム１１２、前記リヤハウジング鏡板１３２および前記リヤハウジング側板１３４は、前記圧縮機構収容空間Ｓ２を形成する。
【００６０】
そして、前記リヤハウジング鏡板１３２には、前記圧縮室Ｓ４から吐出される冷媒を収容する吐出室Ｓ５が形成される。
【００６１】
そして、前記リヤハウジング鏡板１３２には、前記吐出室Ｓ５の冷媒を外部に案内する冷媒吐出管（図示せず）と連通する吐出ポート（図示せず）が形成される。
【００６２】
前記モータ２００は、前記フロントハウジング側板１２４に固定される固定子２１０と、前記固定子２１０の内部で前記固定子２１０との相互作用で回転する回転子２２０とを含む。
【００６３】
前記回転軸３００は、前記回転子２２０に締結されるが、前記回転子２２０の中心部を貫通して前記回転軸３００の一端部が前記メインフレーム１１２の軸受孔１１２ａを貫通し、前記回転軸３００の他端部が前記フロントハウジング鏡板１２２に支持される。
【００６４】
前記旋回スクロール４００は、前記メインフレーム１１２と前記固定スクロール５００との間に介在し、円板状の旋回スクロール鏡板４１０と、前記旋回スクロール鏡板４１０の中心部から前記固定スクロール５００側に突出する旋回スクロールラップ４２０と、前記旋回スクロール鏡板４１０の中心部から前記旋回スクロールラップ４２０の反対側に突出し、前記偏心ブッシュ３１０と締結される旋回スクロールボス４３０とを含む。
【００６５】
前記固定スクロール５００は、円板状の固定スクロール鏡板５１０と、前記固定スクロール鏡板５１０の中心部から突出し、前記旋回スクロールラップ４２０と噛み合う固定スクロールラップ５２０と、前記固定スクロール鏡板５１０の外周部から突出し、前記メインフレーム１１２に締結され、前記旋回スクロール４００の旋回空間Ｓ３を形成する固定スクロール側板５３０とを含む。
【００６６】
前記固定スクロール鏡板５１０の中心側には、前記圧縮室Ｓ４の冷媒を前記吐出室Ｓ５に吐出する吐出口５１２が形成される。
【００６７】
前記固定スクロール側板５３０は、前記旋回スクロール４００の旋回半径が最大限に増加するように、前記リヤハウジング側板１３４と干渉しない範囲内で最大限に前記リヤハウジング側板１３４に隣接して形成される。すなわち、前記固定スクロール側板５３０は、前記流入孔１１２ｃと軸方向に重なって形成される。
【００６８】
そして、前記固定スクロール側板５３０は、前記固定スクロール側板５３０の外径を最大化しながら前記締結ボルトと干渉しないように、前記固定スクロール側板５３０の外周面から掘り込んで形成された凹部５３６を含むことができる。
【００６９】
前記凹部５３６は、前記複数の締結ボルト（図示せず）に対応するように前記複数の締結ボルト（図示せず）の個数と同一個数形成される。
【００７０】
ところが、前記固定スクロール側板５３０が前記流入孔１１２ｃと軸方向に重なることにより、前記流入孔１１２ｃが前記固定スクロール側板５３０によって塞がれることがあるので、これを防止するために、本実施形態に係る前記固定スクロール側板５３０は、前記センターハウジング１１０と接触する接触部５３４と、前記流入孔１１２ｃの冷媒を前記圧縮室Ｓ４に案内するように前記固定スクロール側板５３０の先端面から掘り込んで形成される吸入口５３２とを含む。
【００７１】
ここで、前記接触部５３４は、前記複数の凹部５３６の間で前記センターハウジング１１０と接触できる。そして、前記接触部５３４は、後述のように、前記吸入口５３２が複数形成される時、前記複数の吸入口５３２の間で前記センターハウジング１１０と接触できる。
【００７２】
前記吸入口５３２は、前記固定スクロール側板５３０の剛性が前記吸入口５３２によって弱くなることが抑制されるように、多段に形成される。
【００７３】
具体的には、前記吸入口５３２は、前記固定スクロール側板５３０の先端面から前記固定スクロール鏡板５１０側に掘り込んで形成される第１吸入口５３２ａと、前記第１吸入口５３２ａから前記固定スクロール鏡板５１０側にさらに掘り込んで形成される第２吸入口５３２ｂとを含む。
【００７４】
前記第１吸入口５３２ａは、前記流入孔１１２ｃの冷媒だけでなく、前記圧縮機構収容空間Ｓ２（さらに正確には、固定スクロール側板５３０とリヤハウジング側板１３４との間の空間）の冷媒まで前記圧縮室Ｓ４に円滑に案内されるように、前記第１吸入口５３２ａの円周方向の長さＬ２が、前記流入孔１１２ｃの円周方向の長さＬ１より長く形成される。
【００７５】
そして、前記第１吸入口５３２ａは、前記第１吸入口５３２ａの円周方向の長さＬ２が長く形成されることにより、前記固定スクロール側板５３０の面積が減少して前記固定スクロール側板５３０の剛性が弱くなることを最小化するために、前記第１吸入口５３２ａの軸方向の高さ（メインフレーム後方面１１２ｅから第１吸入口５３２ａまでの軸方向距離）Ｈ２が、前記旋回スクロール鏡板４１０の軸方向の高さ（メインフレーム後方面１１２ｅから旋回スクロール鏡板４１０の後方面までの軸方向距離）Ｈ１と等しいか、または低く形成される。すなわち、前記第１吸入口５３２ａは、前記流入孔１１２ｃおよび前記旋回空間Ｓ３と連通するが、前記旋回スクロール鏡板４１０と前記回転軸３００の半径方向（以下、半径方向）に重なって形成される。
【００７６】
ところが、前記第１吸入口５３２ａの軸方向の高さＨ２が、前記旋回スクロール鏡板４１０の軸方向の高さＨ１と等しいか、または低く形成されることにより、前記第１吸入口５３２ａを通して前記旋回空間Ｓ３に流入する冷媒は、前記圧縮室Ｓ４に断続的に供給される。すなわち、前記旋回スクロール４００の旋回運動によって、前記旋回スクロール鏡板４１０が前記第１吸入口５３２ａから遠くなったり近くなったりすることを繰り返すことになるが、前記旋回スクロール鏡板４１０が前記第１吸入口５３２ａから遠くなる時には、前記第１吸入口５３２ａが前記旋回スクロール鏡板４１０によって閉鎖されない。これによって、冷媒が前記第１吸入口５３２ａを通して前記旋回空間Ｓ３に流入し、前記旋回空間Ｓ３の冷媒が前記吸入室Ｓ１に供給される。これに対し、前記旋回スクロール鏡板４１０が前記第１吸入口５３２ａに近くなる時には、前記第１吸入口５３２ａが前記旋回スクロール鏡板４１０によって閉鎖されることがある。これによって、前記第１吸入口５３２ａを通した前記旋回空間Ｓ３および前記圧縮室Ｓ４への冷媒の供給が途切れる。
【００７７】
これを考慮して、本実施形態の場合、冷媒が前記圧縮室Ｓ４に連続的に供給されるように、前記第２吸入口５３２ｂがさらに形成され、前記第２吸入口５３２ｂの軸方向の高さ（メインフレーム後方面１１２ｅから第２吸入口５３２ｂまでの軸方向距離）Ｈ３が、前記旋回スクロール鏡板４１０の軸方向の高さＨ１より高く形成される。すなわち、前記第２吸入口５３２ｂは、前記旋回スクロールラップ４２０と半径方向に重なって形成される。
【００７８】
そして、前記第２吸入口５３２ｂは、前記固定スクロール側板５３０の面積が前記第２吸入口５３２ｂによって減少して前記固定スクロール側板５３０の剛性が弱くなることを最小化するために、前記第２吸入口５３２ｂの円周方向の長さＬ３が、前記第１吸入口５３２ａの円周方向の長さＬ２より短く形成される。
【００７９】
そして、前記第２吸入口５３２ｂは、ボトルネック（ｂｏｔｔｌｅ  ｎｅｃｋ）とならないように予め定められた大きさ以上に形成される。すなわち、前記第２吸入口５３２ｂの流動断面積（円周方向上の第２吸入口５３２ｂの面積）が、前記流入孔１１２ｃの流動断面積より大きいか、または等しく形成される。そして、前記第１吸入口５３２ａが前記複数の流入孔１１２ｃに対応するように複数（複数の流入孔１１２ｃの個数と同一個数）形成され、前記第２吸入口５３２ｂが前記複数の第１吸入口５３２ａに対応するように複数（複数の第１吸入口５３２ａの個数と同一個数）形成される場合には、前記複数の第２吸入口５３２ｂの流動断面積の合計が、前記複数の流入孔１１２ｃの流動断面積の合計より大きいか、または等しく形成される。
【００８０】
以下、本実施形態に係るスクロール圧縮機の作用効果について説明する。
【００８１】
すなわち、前記モータ２００に電源が印加されると、前記回転軸３００が前記回転子２２０と共に回転する。
【００８２】
そして、前記旋回スクロール４００が前記偏心ブッシュ３１０を介して前記回転軸３００から回転力を受けて旋回運動をする。
【００８３】
これによって、前記圧縮室Ｓ４は、中心側に向かって持続的に移動しながら体積が減少する。
【００８４】
そして、冷媒は、前記冷媒吸入管（図示せず）、前記吸入室Ｓ１、前記グルーブＧ、前記切開部Ｃ、前記流入孔１１２ｃ、前記吸入口５３２を通して、前記圧縮室Ｓ４に流入する。
【００８５】
そして、前記圧縮室Ｓ４に吸入された冷媒は、前記圧縮室Ｓ４の移動経路に沿って中心側に移動しながら圧縮されて、前記吐出口５１２を通して前記吐出室Ｓ５に吐出される。
【００８６】
そして、前記吐出室Ｓ５に吐出された冷媒は、前記冷媒吐出管（図示せず）を通して圧縮機の外部に排出される。
【００８７】
ここで、本実施形態に係るスクロール圧縮機は、前記旋回スクロール４００と前記固定スクロール５００とが前記ハウジング１００の内部に収容されることにより、前記圧縮室Ｓ４で発生する騒音が前記ハウジング１００によって減少する。これによって、前記圧縮室Ｓ４で発生する騒音が前記ハウジング１００の外部に放射されることが防止可能になる。
【００８８】
そして、前記固定スクロール鏡板５１０、前記固定スクロール側板５３０、前記メインフレーム１１２が前記旋回スクロール４００の旋回空間Ｓ３を形成し、前記固定スクロール側板５３０が前記流入孔１１２ｃと軸方向に重なり、前記リヤハウジング側板１３４に最大限に隣接して形成されることにより、前記旋回スクロール４００の旋回半径が増加する。これによって、前記圧縮室Ｓ４の軸方向の高さを予め定められた水準に維持しながら冷媒吐出量を増加できる。すなわち、前記旋回スクロールラップ４２０と前記固定スクロールラップ５２０の剛性を予め定められた水準に維持しながら冷媒吐出量を増加できる。あるいは、冷媒吐出量を予め定められた水準に維持しながら前記ハウジング１００の外径を減少できる。これによって、スクロール圧縮機の重量およびコストが節減可能となり、車両搭載性が改善できる。
【００８９】
そして、前記固定スクロール側板５３０の先端面に前記吸入口５３２が形成されることにより、前記固定スクロール側板５３０が前記流入孔１１２ｃと軸方向に重なっても、前記流入孔１１２ｃが前記固定スクロール側板５３０によって遮られない。
【００９０】
そして、前記吸入口５３２が前記第１吸入口５３２ａおよび前記第２吸入口５３２ｂを含むことにより、前記固定スクロール側板５３０の剛性が低下することを最小化しながら、冷媒が前記圧縮室Ｓ４に円滑に供給できる。
【００９１】
そして、前記メインフレーム１１２を補強するための前記複数のリブＲが前記非重畳リブＲ１を含むだけでなく、前記重畳リブＲ２が前記切開部Ｃを含むことにより、前記流入孔１１２ｃの流動断面積が前記複数のリブＲによって減少することが防止可能になる。これによって、冷媒が前記圧縮室Ｓ４にさらに円滑に供給できる。
【００９２】
そして、前記切開部Ｃが前記流入孔１１２ｃより前記吸入室Ｓ１側にさらに掘り込んで形成されて前記グルーブＧと連通することにより、前記吸入室Ｓ１の冷媒が前記流入孔１１２ｃに円滑に流入することができる。これによって、冷媒が前記圧縮室Ｓ４により一層円滑に供給できる。
【符号の説明】
【００９３】
１１０：センターハウジング
１１２：メインフレーム
１１２ｃ：流入孔
１１６：突出部
１１６ａ：締結ホール
１２０：フロントハウジング
１３０：リヤハウジング
２００：モータ
３００：回転軸
４００：旋回スクロール
４１０：旋回スクロール鏡板
４２０：旋回スクロールラップ
５００：固定スクロール
５１０：固定スクロール鏡板
５３０：固定スクロール側板
５３２：吸入口
５３２ａ：第１吸入口
５３２ｂ：第２吸入口
５３４：接触部
５３６：凹部
Ｈ１：旋回スクロール鏡板の軸方向の高さ
Ｈ２：第１吸入口の軸方向の高さ
Ｈ３：第２吸入口の軸方向の高さ
Ｌ１：流入孔の円周方向の長さ
Ｌ２：第１吸入口の円周方向の長さ
Ｌ３：第２吸入口の円周方向の長さ
Ｒ１：非重畳リブ
Ｒ２：重畳リブ
Ｓ１：吸入室
Ｓ２：圧縮機構収容空間
Ｓ３：旋回空間
Ｓ４：圧縮室
【図１】
2020118161.tif 000003
【図２】
2020118161.tif 000004
【図３】
2020118161.tif 000005
【図４】
2020118161.tif 000006
【図５】
2020118161.tif 000007
【図６】
2020118161.tif 000008
【図７】
2020118161.tif 000009
【図８】
2020118161.tif 000010
【図９】
2020118161.tif 000011